【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
第１オペアンプと、第２オペアンプと、第１乃至第３回路と、を有し、
前記第１回路は、第１乃至第ｎスイッチ（ｎは２以上の整数）と、第１乃至第（ｎ＋１）容量素子と、を有し、
前記第２回路は、第１乃至第ｎセレクタを有し、
前記第１乃至第ｎセレクタのそれぞれは、第１入力端子と、第２入力端子と、出力端子と、を有し、
前記第３回路は、第（ｎ＋１）乃至第（２ｎ＋１）スイッチを有し、
前記第１スイッチの一方の端子は、前記第１容量素子の一対の電極の一方と電気的に接続され、
前記第ｊスイッチの一方の端子（ｊは２以上ｎ以下の整数である。）は、前記第ｊ容量素子の一対の電極の一方と電気的に接続され、
前記第ｊスイッチの一方の端子は、前記第（ｊ−１）スイッチの他方の端子と電気的に接続され、
前記第ｎスイッチの他方の端子は、前記第（ｎ＋１）容量素子の一対の電極の一方と電気的に接続され、
前記第１オペアンプの非反転入力端子は、前記第ｎスイッチの他方の端子と電気的に接続され、
前記第１オペアンプの反転入力端子は、前記第１オペアンプの出力端子と電気的に接続され、
前記第２オペアンプの非反転入力端子は、前記第１スイッチの一方の端子と電気的に接続され、
前記第２オペアンプの反転入力端子は、前記第２オペアンプの出力端子と電気的に接続され、
前記第ｋセレクタの前記出力端子（ｋは１以上ｎ以下の整数である。）は、前記第（ｋ＋１）容量素子の一対の電極の他方と電気的に接続され、
前記第ｈスイッチ（ｈは（ｎ＋２）以上（２ｎ＋１）以下の整数である。）の一方の端子は、前記第（ｈ−１）スイッチの他方の端子と電気的に接続され、
前記第（ｎ＋ｋ）スイッチの他方の端子は、前記第ｋセレクタの前記第２入力端子と電気的に接続されることを特徴とする半導体装置。
【請求項２】
請求項１において、
前記第１乃至第（２ｎ＋１）スイッチのそれぞれは、第１トランジスタを有し、
前記第１トランジスタのチャネル形成領域は、インジウム、元素Ｍ（元素Ｍは、アルミニウム、ガリウム、イットリウム、又はスズ）、亜鉛の少なくとも一を含む酸化物を有することを特徴とする半導体装置。
【請求項３】
請求項１、又は請求項２において、
第（２ｎ＋２）スイッチと、第（２ｎ＋３）スイッチと、を有し、
前記第（２ｎ＋２）スイッチの一方の端子は、前記第１オペアンプの前記非反転入力端子と電気的に接続され、
前記第（２ｎ＋３）スイッチの一方の端子は、前記第２オペアンプの前記非反転入力端子と電気的に接続されることを特徴とする半導体装置。
【請求項４】
請求項３において、
前記第（２ｎ＋２）スイッチ、及び前記第（２ｎ＋３）スイッチのそれぞれは、第２トランジスタを有し、
前記第２トランジスタのチャネル形成領域は、インジウム、元素Ｍ（元素Ｍは、アルミニウム、ガリウム、イットリウム、又はスズ）、亜鉛の少なくとも一を含む酸化物を有することを特徴とする半導体装置。
【請求項５】
請求項１乃至請求項４のいずれか一において、
第（２ｎ＋４）スイッチと、第（２ｎ＋５）スイッチと、を有し、
前記第（２ｎ＋４）スイッチの一方の端子は、前記第１オペアンプの前記出力端子と電気的に接続され、
前記第（２ｎ＋５）スイッチの一方の端子は、前記第２オペアンプの前記出力端子と電気的に接続されることを特徴とする半導体装置。
【請求項６】
請求項５において、
前記第（２ｎ＋４）スイッチ、及び前記第（２ｎ＋５）スイッチのそれぞれは、第３トランジスタを有し、
前記第３トランジスタのチャネル形成領域は、インジウム、元素Ｍ（元素Ｍは、アルミニウム、ガリウム、イットリウム、又はスズ）、亜鉛の少なくとも一を含む酸化物を有することを特徴とする半導体装置。
【請求項７】
第１オペアンプと、第２オペアンプと、第１乃至第３スイッチと、第１容量素子と、第２容量素子と、セレクタと、を有し、
前記セレクタは、第１入力端子と、第２入力端子と、出力端子と、を有し、
前記第１スイッチの一方の端子は、前記第１容量素子の一対の電極の一方と電気的に接続され、
前記第１スイッチの他方の端子は、前記第２容量素子の一対の電極の一方と電気的に接続され、
前記第１オペアンプの非反転入力端子は、前記第１スイッチの他方の端子と電気的に接続され、
前記第１オペアンプの反転入力端子は、前記第１オペアンプの出力端子と電気的に接続され、
前記第２オペアンプの非反転入力端子は、前記第１スイッチの一方の端子と電気的に接続され、
前記第２オペアンプの反転入力端子は、前記第２オペアンプの出力端子と電気的に接続され、
前記セレクタの前記出力端子は、前記第２容量素子の一対の電極の他方と電気的に接続され、
前記第２スイッチの一方の端子は、前記第３スイッチの他方の端子と電気的に接続され、
前記第３スイッチの他方の端子は、前記セレクタの前記第２入力端子と電気的に接続されることを特徴とする半導体装置。
【請求項８】
請求項１乃至請求項７のいずれか一に記載の半導体装置と、照度計と、第４回路と、第５回路と、第１表示パネルと、第２表示パネルと、を有するシステムであり、
前記照度計は、前記第４回路と電気的に接続され、
前記第４回路は、前記第５回路と電気的に接続され、
前記第５回路は、前記半導体装置と電気的に接続され、
前記第１表示パネルは、前記半導体装置と電気的に接続され、
前記第２表示パネルは、前記半導体装置と電気的に接続されることを特徴とするシステム。
【請求項９】
請求項８に記載のシステムの動作方法であり、
第１乃至第１０ステップを有し、
前記第１ステップは、前記照度計によって、照度が計測されるステップを有し、
前記第２ステップは、前記照度計から前記照度を前記第４回路に送信するステップを有し、
前記第３ステップは、前記第４回路によって、前記照度に基づいて、前記第１表示パネルの階調、及び前記第２表示パネルの階調を決定する第１データを生成するステップを有し、
前記第４ステップは、前記第４回路から前記第１データを前記第５回路に送信するステップと、外部から第２データを前記第５回路に送信するステップと、を有し、
前記第５ステップは、前記半導体装置を初期化するステップを有し、
前記第６ステップは、前記第５回路において、前記第１データと、前記第２データと、に応じて、前記第１表示パネルに送信するための第３データを生成するステップと、前記第５回路から前記第３データを前記半導体装置に送信するステップと、前記半導体装置において、前記第３データをデジタルアナログ変換して第４データにするステップと、を有し、
前記第７ステップは、前記半導体装置から前記第４データを前記第１表示パネルに送信して、前記第１表示パネルに画像を表示するステップを有し、
前記第８ステップは、前記半導体装置を初期化するステップを有し、
前記第９ステップは、前記第５回路において、前記第１データと、前記第２データと、に応じて、前記第２表示パネルに送信するための第５データを生成するステップと、前記第５回路から前記第３データを前記半導体装置に送信するステップと、前記半導体装置において、前記第５データをデジタルアナログ変換して第６データにするステップと、を有し、
前記第１０ステップは、前期半導体装置から前記第６データを前記第２表示パネルに送信して、前記第２表示パネルに画像を表示するステップを有し、
前記第２データは、ビデオデータであることを特徴とする動作方法。